【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
画像表示装置であって、
圧縮画像データを伸張して伸張画像データを出力する伸張部と、
前記伸張画像データの水平方向に連続する第１の画素数の画素からなる第１の画素列を単位として、前記伸張画像データの水平解像度変換を行って、水平解像度変換画像データを出力する水平解像度変換部と、
前記水平解像度変換画像データの垂直方向に連続する第２の画素数の画素からなる第２の画素列を単位として、前記水平解像度変換画像データの垂直解像度変換を行って、垂直解像度変換画像データを出力する垂直解像度変換部と、
を備え、
前記水平解像度変換部は、
前記第１の画素列として前記伸張画像データから前記第１の画素数の画素を切り出すことができない場合には、切り出すことができる画素数の画素からなる画素列を折り返すことにより、前記第１の画素数に対して不足する画素数の画素を補い、
前記垂直解像度変換部は、
前記第２の画素列として前記水平解像度変換画像データから前記第２の画素数の画素を切り出すことができない場合には、切り出すことができる画素数の画素からなる画素列を折り返すことにより、前記第２の画素数に対して不足する画素数の画素を補う
ことを特徴とする画像表示装置。
【請求項２】
請求項１記載の画像表示装置であって、
前記水平解像度変換部は、前記伸張画像データに対してｍタップ（ｍは２以上の整数）のフィルタ処理を行うことによって前記水平解像度変換を行い、
前記垂直解像度変換部は、前記水平解像度変換画像データに対してｎタップ（ｎは２以上の整数）のフィルタ処理を行うことによって前記垂直解像度変換を行い、
前記第１の画素数は前記ｍであり、前記第２の画素数は前記ｎである
ことを特徴とする画像表示装置。
【請求項３】
請求項１または請求項２記載の画像表示装置であって、
前記伸張画像データを記憶するブロックバッファを備え、
前記ブロックバッファの構成は、前記圧縮画像データの圧縮モードに応じて構成されるＭＣＵに基づいて変化する
ことを特徴とする画像表示装置。
【請求項４】
請求項１ないし請求項３のいずれか一項に記載の画像表示装置であって、
前記水平解像度画像データを記憶するラインバッファを備え、
前記ラインバッファの構成は、前記圧縮画像データの圧縮モードに応じて構成されるＭＣＵに基づいて変化する
ことを特徴とする画像表示装置。
【請求項５】
画像表示方法であって、
（ａ）圧縮画像データを伸張して伸張画像データを出力する工程と、
（ｂ）前記伸張画像データの水平方向に連続する第１の画素数の画素からなる第１の画素列を単位として、前記伸張画像データの水平解像度変換を行って、水平解像度変換画像データを出力する工程と、
（ｃ）前記水平解像度変換画像データの垂直方向に連続する第２の画素数の画素からなる第２の画素列を単位として、前記水平解像度変換画像データの垂直解像度変換を行って、垂直解像度変換画像データを出力する工程と、
を備え、
前記工程（ｂ）は、
前記第１の画素列として前記伸張画像データから前記第１の画素数の画素を切り出すことができない場合には、切り出すことができる画素数の画素からなる画素列を折り返すことにより、前記第１の画素数に対して不足する画素数の画素を補う工程を含み、
前記工程（ｃ）は、
前記第２の画素列として前記水平解像度変換画像データから前記第２の画素数の画素を切り出すことができない場合には、切り出すことができる画素数の画素からなる画素列を折り返すことにより、前記第２の画素数に対して不足する画素数の画素を補う工程を含む
ことを特徴とする画像表示方法。
【手続補正２】
【補正対象書類名】明細書
【補正対象項目名】発明の名称
【補正方法】変更
【補正の内容】
【発明の名称】画像表示装置および画像表示方法
【手続補正３】
【補正対象書類名】明細書
【補正対象項目名】０００１
【補正方法】変更
【補正の内容】
【０００１】
本発明は、所定の圧縮フォーマットで圧縮された画像データを伸張しつつ、伸張された画像データを所望の画像データサイズに解像度変換する画像表示装置および画像表示方法に関する。
【手続補正４】
【補正対象書類名】明細書
【補正対象項目名】０００９
【補正方法】変更
【補正の内容】
【０００９】
本発明は、上記した目的の少なくとも一部を達成するためになされたものであり、以下の形態または適用例として実現することが可能である。
本願の第１の形態は、画像表示装置であって、
圧縮画像データを伸張して伸張画像データを出力する伸張部と、
前記伸張画像データの水平方向に連続する第１の画素数の画素からなる第１の画素列を単位として、前記伸張画像データの水平解像度変換を行って、水平解像度変換画像データを出力する水平解像度変換部と、
前記水平解像度変換画像データの垂直方向に連続する第２の画素数の画素からなる第２の画素列を単位として、前記水平解像度変換画像データの垂直解像度変換を行って、垂直解像度変換画像データを出力する垂直解像度変換部と、
を備え、
前記水平解像度変換部は、
前記第１の画素列として前記伸張画像データから前記第１の画素数の画素を切り出すことができない場合には、切り出すことができる画素数の画素からなる画素列を折り返すことにより、前記第１の画素数に対して不足する画素数の画素を補い、
前記垂直解像度変換部は、
前記第２の画素列として前記水平解像度変換画像データから前記第２の画素数の画素を切り出すことができない場合には、切り出すことができる画素数の画素からなる画素列を折り返すことにより、前記第２の画素数に対して不足する画素数の画素を補う
ことを特徴とする。
第１の形態の画像表示装置によれば、圧縮された画像データの伸張および伸張した画像データの所望の画像データサイズへの解像度変換を行う際に、水平解像度変換部では、第１の画素列として伸張画像データから第１の画素数の画素を切り出すことができない場合には、切り出すことができる画素数の画素からなる画素列を折り返すことにより、第１の画素数に対して不足する画素数の画素を補い、垂直解像度変換部では、第２の画素列として水平解像度変換画像データから第２の画素数の画素を切り出すことができない場合には、切り出すことができる画素数の画素からなる画素列を折り返すことにより、第２の画素数に対して不足する画素数の画素を補うことができるので、水平解像度変換後の画像データや垂直解像度変換後の画像データにノイズが発生して画質が劣化することを抑制することができる。
上記第１の形態の画像表示装置において、
前記水平解像度変換部は、前記伸張画像データに対してｍタップ（ｍは２以上の整数）のフィルタ処理を行うことによって前記水平解像度変換を行い、
前記垂直解像度変換部は、前記水平解像度変換画像データに対してｎタップ（ｎは２以上の整数）のフィルタ処理を行うことによって前記垂直解像度変換を行い、
前記第１の画素数は前記ｍであり、前記第２の画素数は前記ｎであるとすることができる。
また、上記第１の形態の画像表示装置において、
前記伸張画像データを記憶するブロックバッファを備え、
前記ブロックバッファの構成は、前記圧縮画像データの圧縮モードに応じて構成されるＭＣＵに基づいて変化する
ようにすることができる。
また、上記第１の形態の画像表示装置において、
前記水平解像度画像データを記憶するラインバッファを備え、
前記ラインバッファの構成は、前記圧縮画像データの圧縮モードに応じて構成されるＭＣＵに基づいて変化する
ようにすることができる。
本発明の第２の形態は、画像表示方法であって、
（ａ）圧縮画像データを伸張して伸張画像データを出力する工程と、
（ｂ）前記伸張画像データの水平方向に連続する第１の画素数の画素からなる第１の画素列を単位として、前記伸張画像データの水平解像度変換を行って、水平解像度変換画像データを出力する工程と、
（ｃ）前記水平解像度変換画像データの垂直方向に連続する第２の画素数の画素からなる第２の画素列を単位として、前記水平解像度変換画像データの垂直解像度変換を行って、垂直解像度変換画像データを出力する工程と、
を備え、
前記工程（ｂ）は、
前記第１の画素列として前記伸張画像データから前記第１の画素数の画素を切り出すことができない場合には、切り出すことができる画素数の画素からなる画素列を折り返すことにより、前記第１の画素数に対して不足する画素数の画素を補う工程を含み、
前記工程（ｃ）は、
前記第２の画素列として前記水平解像度変換画像データから前記第２の画素数の画素を切り出すことができない場合には、切り出すことができる画素数の画素からなる画素列を折り返すことにより、前記第２の画素数に対して不足する画素数の画素を補う工程を含む
ことを特徴とする。
第２の形態の画像表示方法によれば、第１の形態の画像表示装置と同様に、水平解像度変換後の画像データや垂直解像度変換後の画像データにノイズが発生して画質が劣化することを抑制することができる。